(57)【要約】【課題】安定性が向上し、また使用者の排水作業が容易になる除湿機を提供する。【解決手段】本体ケース内に圧縮機、熱交換器、送風機等を備えた除湿機において、圧縮機７、熱交換器（蒸発器２と凝縮器３）、送風機を本体ケース１の下部に配置すると共に、前記熱交換器によって結露し滴下して受け皿１０に溜まった除湿水を本体ケース１の上部に配置される排水容器１６に吸い上げるポンプ１２を備えた。本体ケース１の上面にポンプ１２によって吸い上げられた除湿水を排水するための排水容器１６の設置部１５を設けた。【選択図】　　　　図１
2004036921.tif 000002
【特許請求の範囲】
【請求項１】
本体ケース内に圧縮機、熱交換器、送風機等を備えた除湿機において、
前記圧縮機、熱交換器、送風機を本体ケースの下部に配置すると共に、前記熱交換器によって結露し滴下して受け皿に溜まった除湿水を本体ケースの上部に配置される排水容器に吸い上げるポンプを備えたことを特徴とする除湿機。
【請求項２】
前記本体ケースの上面に前記ポンプによって吸い上げられた除湿水を排水するための排水容器の設置部を設けたことを特徴とする請求項１記載の除湿機。
【請求項３】
前記排水容器を前記ポンプを覆う形状に形成したことを特徴とする請求項１又は請求項２記載の除湿機。
【請求項４】
前記受け皿に溜まった除湿水の水位を検知して所定水位に達したときに前記ポンプを所定時間駆動させるための水位検知手段を備えたことを特徴とする請求項１ないし請求項３のいずれかに記載の除湿機。
【請求項５】
前記ポンプの異常を検知して除湿動作を停止させるための異常検知手段を備えたことを特徴とする請求項１ないし請求項４のいずれかに記載の除湿機。
【請求項６】
前記異常検知手段として、前記受け皿に溜まった除湿水の水位を検知する水位検知手段を利用して、前記ポンプの駆動後に前記水位検知手段で検知される水位が低下しない場合にポンプの異常を検知することを特徴とする請求項５記載の除湿機。
【発明の詳細な説明】
【０００１】
【発明の属する技術分野】
本願発明は、本体ケース内に圧縮機、熱交換器、送風機等を備えた除湿機に関するものである。
【０００２】
【従来の技術】
従来の除湿機は、本体ケースの下部に圧縮機と排水タンクが配置され、上部に熱交換器と送風機が配置されている。この理由としては、熱交換器で結露した除湿水を自然落下により排水タンク内に排水することができ、構成が簡単であるのと、排水タンクは下にあるものという既成概念によるものであった。
【０００３】
【発明が解決しようとする課題】
しかしながら、上記のような従来構成では、重量部品である熱交換器と送風機が上部に配置されているので、装置本体の重心が高くなり、安定性が悪くなる。除湿機は移動して用いられる家電製品であり、従来の重心の高い除湿機では、運んでいる途中で転倒し、排水タンク内の水がこぼれやすい。
【０００４】
また、排水タンクが下にあるため、水の入った重い排水タンクを腰をかがめながら取り出すといった苦痛を感じる排水作業を使用者に強いることになる。
【０００５】
そこで、本願発明はこのような課題を解決するためになされたものであり、安定性が向上し、また使用者の排水作業が容易になる除湿機を提供することを目的とするものである。
【０００６】
【課題を解決するための手段】
上記のような目的を達成するために、本願発明は、本体ケース内に圧縮機、熱交換器、送風機等を備えた除湿機において、前記圧縮機、熱交換器、送風機を本体ケースの下部に配置すると共に、前記熱交換器によって結露し滴下して受け皿に溜まった除湿水を本体ケースの上部に配置される排水容器に吸い上げるポンプを備えたことを特徴とするものである。
【０００７】
また、前記本体ケースの上面に前記ポンプによって吸い上げられた除湿水を排水するための排水容器の設置部を設けたことを特徴とするものである。
【０００８】
さらに、前記排水容器を前記ポンプを覆う形状に形成したことを特徴とするものである。
【０００９】
また、前記受け皿に溜まった除湿水の水位を検知して所定水位に達したときに前記ポンプを所定時間駆動させるための水位検知手段を備えたことを特徴とするものである。
【００１０】
また、前記ポンプの異常を検知して除湿動作を停止させるための異常検知手段を備えたことを特徴とするものである。
【００１１】
また、前記異常検知手段として、前記受け皿に溜まった除湿水の水位を検知する水位検知手段を利用して、前記ポンプの駆動後に前記水位検知手段で検知される水位が低下しない場合にポンプの異常を検知することを特徴とするものである。
【００１２】
【発明の実施の形態】
以下、本願発明の一実施形態を図１〜図３を参照して詳細に説明する。
【００１３】
本実施形態の除湿機は、横長で片側が凸状に高く形成された本体ケース１内の下部側に、図２に示すように前後方向に冷凍サイクルの熱交換器を構成する蒸発器２と凝縮器３、及びモータ４とファン５から成る送風機６が順次配列されている。さらに、図１に示すように、上記蒸発器２等の片側の空間には、蒸発器２や凝縮器３と共に冷凍サイクルを構成する圧縮機７やアキュムレータ（気液分離器）８が配置されている。
【００１４】
また、上記蒸発器２の下側には、蒸発器２で結露して滴下する除湿水を受けるドレンパン９が設けられており、ここに滴下した除湿水がその下方に配置された除湿水受け皿１０に流れ込むように構成されている。
【００１５】
一方、本体ケース１の片側に凸状に高く形成された空間内には、下部側に当該除湿機全体を制御するマイクロコンピュータを含む制御系部品等が搭載された制御基板１１が配置され、上部中央の突出部分１ａにポンプ１２が配置されている。
【００１６】
上記ポンプ１２の吸水管１３は、その先端が前記除湿水受け皿１０内に達するように配管されている。一方、ポンプ１２の排水管１４は、本体ケース１上面に形成された設置部１５に設置される排水タンク１６内に、吸い上げた除湿水を排水できるように配管されている。
【００１７】
上記排水タンク１６は、その底面形状が本体ケース１上面に形成された設置部１５の形状に対応させて形成されていると共に、前記ポンプ１２が配置された本体ケース１の突出部分１ａを両側から覆うように形成されている。また、この排水タンク１６には可倒自在な取手１７が付いており、除湿水が溜まった排水タンク１６を取手１７を持って設置部１５から取り外して持ち運べるように構成されている。
【００１８】
また、ポンプ１２の上部側には、排水タンク１６を設置した状態でも露出する本体ケース１上面に入／切ボタン１８等を設けるための操作基板１９が配置されている。
【００１９】
また、除湿水受け皿１０には、フロート２０を用いた満水検知ユニット２１が取り付けられており、この満水検知ユニット２１により除湿水受け皿１０の満水状態が検知されると、前記制御基板１１に搭載されたマイクロコンピュータによりポンプ１２が所定時間駆動されるようになっている。
【００２０】
これにより、ポンプ１２を効率良く駆動して、除湿水受け皿１０内に溜まった除湿水を本体ケース１上面に設置された排水タンク１６内に吸い上げることができると共に、除湿水受け皿１０から除湿水が溢れるのを防止できるようになっている。
【００２１】
また、この満水検知ユニット２１を有効利用して、ポンプ１２の駆動後に満水検知ユニット２１で検知される水位が低下しない場合には、制御基板１２に搭載されたマイクロコンピュータがポンプ１２の異常を検知するようにして、除湿動作を停止させるようにしている。
【００２２】
これにより、ポンプ１２の故障等で除湿水を吸い上げることができなくなった場合にも、除湿水受け皿１０から除湿水が溢れるのを低コストで確実に防止できるようになっている。なお、満水検知ユニット２１を利用する以外にも、流量検知センサを設けて、ポンプ１２により吸い上げられる流量を検知するようにしても良い。
【００２３】
また、排水タンク１６にも、除湿水受け皿１０と同様、水位を検知する満水検知ユニットを設け、排水タンク１６が満水状態となった時、除湿動作を停止させても良い。これにより、排水タンク１６から除湿水が溢れるのを防止できる。
【００２４】
以上のように、本実施形態によれば、除湿機の主要部品で重量のある圧縮機７、熱交換器（蒸発器２と凝縮器３）、送風機６を本体ケース１の下部側に配置しているので、除湿機全体の重心が従来よりもかなり下になるので、除湿機の安定性が向上し、移動時等に転倒するような可能性も減少する。
【００２５】
また、排水タンク１６を本体ケース１の上面に配置するようにしているので、使用者は従来のように腰をかがめて取り出すような苦痛を感じることなく、立ったまま排水タンク１６の取手を持って取り外して排水することができるので、除湿機の排水作業が格段に容易になる。また、本体ケース１の上面には配置部１５が形成されているので、バケツ等の市販の容器を排水タンク１６の代用として使用することもできる。さらには、排水タンク１６を本体ケース１上面に配置することにより、今までにない新しいデザイン効果を生み出すこともできる。
【００２６】
また、ポンプ１２は騒音を発するが、排水タンク１６を有効利用し、排水タンク１６の形状を工夫してポンプ１２が配置された本体ケース部分１ａを覆うようにしているので、防音材等のコストを掛けずに、ポンプ１２の騒音を減らすことができる。また、本体ケース１上面を無駄なく利用して、タンク容量を稼ぐことができ、より多くの除湿水を溜めることができる。
【００２７】
【発明の効果】
以上のように本願発明によれば、本体ケース内に圧縮機、熱交換器、送風機等を備えた除湿機において、前記圧縮機、熱交換器、送風機を本体ケースの下部に配置すると共に、熱交換器によって結露し滴下して受け皿に溜まった除湿水を本体ケースの上部に配置される排水容器に吸い上げるポンプを備えたことにより、除湿機全体の重心が従来よりもかなり下になるので、除湿機の安定性が向上し、移動時等に転倒するような可能性も減少する。
【００２８】
また、本体ケースの上面に前記ポンプによって吸い上げられた除湿水を排水するための排水容器の設置部を設けたことにより、使用者は従来のように腰をかがめて取り出すような苦痛を感じることなく、立ったまま排水容器を容易に取り外して排水することができるので、除湿機の排水作業が格段に容易になる。また、バケツ等の市販の容器を排水容器の代用として使用することもできる。
【００２９】
さらに、前記排水容器を前記ポンプを覆う形状に形成したことにより、防音材等のコストを掛けずに、ポンプの騒音を減らすことができる。また、本体ケース上面を無駄なく利用して、容量を稼ぐことができ、より多くの除湿水を溜めることができる。
【００３０】
また、前記受け皿に溜まった除湿水の水位を検知して所定水位に達したときに前記ポンプを所定時間駆動させるための水位検知手段を備えたことにより、ポンプを効率良く駆動して、受け皿内に溜まった除湿水を本体ケース上部に設置された排水タンク内に吸い上げることができると共に、受け皿から除湿水が溢れるのを防止できる。
【００３１】
また、前記ポンプの異常を検知して除湿動作を停止させるための異常検知手段を備えることにより、ポンプの故障等で除湿水を吸い上げることができなくなった場合にも、受け皿から除湿水が溢れるのを確実に防止できる。
【００３２】
また、前記異常検知手段として、前記受け皿に溜まった除湿水の水位を検知する水位検知手段を利用して、ポンプの駆動後に水位検知手段で検知される水位が低下しない場合にポンプの異常を検知するようにすることにより、低コストで受け皿から除湿水が溢れるのを確実に防止できる。
【図面の簡単な説明】
【図１】本願発明の一実施形態に係る除湿機の主要部品の配置構成を正面側から見た部品配置構成図。
【図２】同じく、排水タンクを取り外した状態で側面側から見た部品配置構成図。
【図３】同じく、上面図。
【符号の説明】
１　本体ケース
２　蒸発器
３　凝縮器
６　送風機
７　圧縮機
１０　除湿水受け皿
１１　制御基板
１２　ポンプ
１５　設置部
１６　排水タンク
１７　取手
２１　満水検知ユニット
【図１】
2004036921.tif 000003
【図２】
2004036921.tif 000004
【図３】
2004036921.tif 000005